(57)【要約】      （修正有）【課題】園芸作物の栽培において、安価な装置により、効率よく栽培でき、作業性を向上させて単位面積当りの収量の増加を図った温室栽培方法およびその栽培装置を提供する。【解決手段】温室内に間隔をおいて２本のローラコンベア１７を平行に配置し、両コンベア１７の間に育苗した苗を植えたポット６を支持するポットホルダー７を可動自在に配置し、コンベア１７の一端側から他端側に向けて複数個のポットホルダー７を載置して一列に配置し、園芸作物を育成し、生長した作物を収穫後、ポットホルダー７をコンベア１７の端部から搬出し、育苗圃２で育苗していた別の園芸作物を入れたポット６をポットホルダー７に支持させ、育苗と収穫を同時に並行して行なう温室栽培方法およびその栽培装置。【選択図】図１
2018164441.tif 000002
【特許請求の範囲】
【請求項１】
温室内に育苗圃を設置すると共に、育苗圃で園芸作物の苗を、培地を入れたポットで育苗し、温室内に間隔をおいて２本のコンベアを平行に配置し、両コンベアの間にポットを支持するポットホルダーを可動自在に配置し、前記育苗した苗を植えたポットを、ポットホルダーに支持させて、コンベアの一端側から他端側に向けて複数個のポットホルダーを順次供給して一列に配置して、園芸作物を育成し、生長した作物を収穫後、ポットホルダーをコンベアの端部から搬出し、このポットホルダーからポットを取外して、内部の培地と根を排出し、前記収穫時に育苗圃で育苗していた別の園芸作物を入れたポットを、前記空になったポットホルダーに支持させてから、コンベアに順次供給して園芸作物を育成し、育苗と収穫を同時に並行して行なうことを特徴とする園芸作物の温室栽培方法。
【請求項２】
ポットで栽培する園芸作物としていちごまたはトマトであることを特徴とする請求項１記載の園芸作物の温室栽培方法。
【請求項３】
温室内に間隔をおいて２本のコンベアを平行に配置し、両コンベアの間にポットを支持する複数個のポットホルダーを可動自在に載置するようにしたことを特徴とする園芸作物の栽培装置。
【請求項４】
ポットホルダーがプラスチックで平板状に形成され、中央部にポットを挿着支持する角孔または丸孔を形成し、コンベアの進行方向に沿った端部に、複数の重なり防止突起を設けたことを特徴とする請求項３記載の園芸作物の栽培装置。
【請求項５】
温室内に２本平行に配置されたコンベアが、ローラコンベアであることを特徴とする請求項３記載の園芸作物の栽培装置。
【発明の詳細な説明】
【技術分野】
【０００１】
本発明は、園芸作物の温室栽培方法およびその栽培装置に関するものである。
【背景技術】
【０００２】
いちごの栽培においては、秋夏いちごと促成いちごがあり、秋夏いちごは３月より５月頃に苗を定植し、５月頃にポットをハウスに移動して６月より１１月頃まで順次収穫している。また促成いちごは９月より１１月頃に苗を定植し１１月頃ポットをハウスに移動して、１２月より翌年の５月頃まで順次収穫している。いちごを収穫した後は、ポットの土を排出し、根を切ってから土を殺菌してポットに充填し再利用している。
【０００３】
このため苗を定植からポットの温室内への移動、収穫、ポットの土の排出、根切り、土の殺菌など年間を通して煩雑な作業が続き、一つのハウス内で秋夏いちごと促成いちごの２種類を栽培することはできなかった。このため温室内にコンベアを設けて作業性を向上させるために、種々の検討を行った。
【０００４】
温室栽培においてコンベアを用いた従来の装置としては、例えば植物が栽培される植物栽培空間が内部に形成された三階建て構造を有する栽培温室の内部に、植物を水平方向に移送するためのベルトコンベアと、鉛直方向に移送するためのエレベータとを備え、屋根の大部分及び南壁が透明ガラスによって形成され、三階部分において複数の植物が均等に太陽光を受けることができるように構成された植物栽培システム（特許文献１）がある。
【０００５】
しかしながらこの植物栽培システムはガラスで形成された３階建の温室で、しかもハウス内に栽培容器を移動させるベルトコンベアやエレベータを設けるので、設備費が高くなり、栽培する植物によっては採算が取れない問題がある。
【０００６】
また温室内に並行して複数の上レ−ルを架設し、これらのレ−ルに沿って平行移動できるセンタ−レ−ルを取付け、これにコンベアのベルトを走行させるベルトハンガを吊設し、ここに吊設したコンベアを温室内の作物の畝に対応する位置に自在に移動でき、取入れ作業に便利なコンベア装置を設けた温室内コンベア装置（特許文献２）もある。
【０００７】
しかしながらこの装置も、作業性は向上するが、温室内に並行して複数の上レ−ルを架設しなければならず、設備費が高くなる問題があった。
【先行技術文献】
【特許文献】
【０００８】
【特許文献１】特開２００４−３２９１３０
【特許文献２】特開平７−２３６３６９
【発明の概要】
【発明が解決しようとする課題】
【０００９】
本発明は上記問題を改善し、いちごなどの園芸作物の栽培において、安価な装置により、効率よく栽培でき、作業性を向上させて単位面積当りの収量の増加を図った温室栽培方法およびその栽培装置を提供するものである。
【課題を解決するための手段】
【００１０】
本発明の請求項１記載の園芸作物の温室栽培方法は、温室内に育苗圃を設置すると共に、育苗圃で園芸作物の苗を、培地を入れたポットで育苗し、温室内に間隔をおいて２本のコンベアを平行に配置し、両コンベアの間にポットを支持するポットホルダーを可動自在に配置し、前記育苗した苗を植えたポットを、ポットホルダーに支持させて、コンベアの一端側から他端側に向けて複数個のポットホルダーを順次供給して一列に配置して、園芸作物を育成し、生長した作物を収穫後、ポットホルダーをコンベアの端部から搬出し、このポットホルダーからポットを取外して、内部の培地と根を排出し、前記収穫時に育苗圃で育苗していた別の園芸作物を入れたポットを、前記空になったポットホルダーに支持させてから、コンベアに順次供給して園芸作物を育成し、育苗と収穫を同時に並行して行なうことを特徴とするものである。
【００１１】
本発明の請求項２記載の園芸作物の温室栽培方法は、請求項１において、ポットで栽培する園芸作物としていちごまたはトマトであることを特徴とするものである。
【００１２】
本発明の請求項３記載の園芸作物の温室栽培装置は、温室内に間隔をおいて２本のコンベアを平行に配置し、両コンベアの間にポットを支持する複数個のポットホルダーを可動自在に載置するようにしたことを特徴とするものである。
【００１３】
本発明の請求項４記載の園芸作物の温室栽培装置は、請求項３において、ポットホルダーがプラスチックで平板状に形成され、中央部にポットを挿着支持する角孔または丸孔を形成し、コンベアの進行方向に沿った端部に、複数の重なり防止突起を設けたことを特徴とするものである。
【００１４】
本発明の請求項５記載の園芸作物の温室栽培装置は、請求項３において、温室内に２本平行に配置されたコンベアが、ローラコンベアであることを特徴とするものである。
【発明の効果】
【００１５】
本発明に係る請求項１記載の園芸作物の温室栽培方法によれば、定植や収穫時期の異なる園芸作物を同時に栽培できるので、１年を通して収穫でき収益を大幅に向上させることができる。また左右のローラコンベアで形成された栽培装置の上に、ポットを支持させたポットホルダーを移動させるだけで、従来のようにポットを１個ずつ栽培棚に運搬して設置する必要がなく作業性を向上させることができ、大幅に収益を向上させることができる。  
【００１６】
本発明の請求項２記載の園芸作物の温室栽培方法は、栽培する園芸作物としていちごを用いた場合、秋夏いちごと促成いちごを同時に定植、栽培できる、またトマトを栽培する場合には生長を促進させることができる。
【００１７】
また請求項３記載の園芸作物の温室栽培装置によれば、間隔をおいて２本のコンベアを平行に配置し、両コンベアの間にポットを支持する複数個のポットホルダーを可動自在に載置するようにしたので、従来のようにポットを１個ずつ栽培棚に運搬して設置する必要がなく作業性を大幅に向上させることができる。
【００１８】
また請求項４記載の園芸作物の温室栽培装置によれば、ポットホルダーがプラスチックで平板状に形成され、中央部にポットを挿着支持する角孔または丸孔を形成し、コンベアの進行方向に沿った端部に、複数の重なり防止突起を設けたので、軽量でポットの着脱が容易で、ポットホルダー同士の重なりを防止できると共に、液肥供給ホースのガイドとして用いることができる。
【００１９】
また請求項５記載の園芸作物の温室栽培装置によれば、温室内に２本平行に配置されたコンベアが、ローラコンベアで形成されているので、軽量で安価である。
【図面の簡単な説明】
【００２０】
【図１】本発明の実施の一形態による秋夏いちごと促成いちごを同時に定植、栽培している状態を示す温室の平面図である。
【図２】ポットをポットホルダーに支持させた状態を示す断面図である。
【図３】ポットホルダーを示す斜視図である。
【図４】ローラコンベアで形成した栽培装置の上でいちごを栽培している状態を示す斜視図である。
【図５】図４のローラコンベアで形成した栽培装置の上でいちごを栽培している状態を示す側面図である。
【図６】本発明の他の実施の形態によるトマトの苗を栽培装置の上で栽培している状態を示す側面図である。
【図７】図５のワイヤを移動させてトマトの弦を斜めに引っ張っている状態を示す側面図である。
【発明を実施するための最良の形態】
【００２１】
以下本発明の実施の一形態を図１ないし図５を参照して詳細に説明する。図において１は温室を示すもので、この温室１内に育苗圃２が設けられ、他の部分は栽培室３になっている。
【００２２】
育苗圃２では培地５を入れた角筒状のポット６がポットホルダー７に支持されている。このポット６内には例えば１．５リットル程度の培地５が入れられている。また角筒状のポット６は、図２に示すように上部開口部に四角形状の鍔部８が形成され、底面と底部側側面に複数のスリット９が形成されている。
【００２３】
ポットホルダー７は図３に示すように、プラスチックで平板状に形成され、中央部にポット６を挿着支持する正方形の角孔１１が形成され、その対向する端部に、重なり防止突起１２が２個ずつ設けられている。このポットホルダー７の角孔１１に培地５を入れた角筒状のポット６が挿着され、図２に示すように鍔部８が角孔１１の縁部に引っ掛かって支持されるようになっている。
【００２４】
育苗圃２ではポット６をポットホルダー７に嵌めた状態で、いちごの苗１４Ａを培地５に定植して、３から４カ月程度育苗する。
【００２５】
育苗圃２の隣の栽培室３は図１に示すように、栽培装置１６が平行に複数列設置されている。この栽培装置１６は、間隔をおいて２本のローラコンベア１７、１７が平行に配置されている。この左右両ローラコンベア１７、１７の幅は、図３に示すポットホルダー７の幅よりやや広く形成されている。ローラコンベア１７の長さは約３０ｍ程度に形成され、このローラはプラスチックで軽量に形成されている。この左右両ローラコンベア１７、１７で形成された栽培装置１６Ａから１６Ｄは温室１内に複数平行に配置されている。
【００２６】
育苗圃２においてポット６内で成育させた秋夏いちごの苗１４Ａは、ポットホルダー７に嵌めた状態で栽培室３に移し、図中左側から１列目の栽培装置１６Ａの端部から２本のローラコンベア１７、１７にポットホルダー７を載せて、順次反対側の端部に向けて押して移動させる。このように１列目の栽培装置１６Ａには育苗した秋夏いちごの苗１４Ａを順次並べていく。
【００２７】
同様の方法で、先に育苗圃２で促成いちごの苗１４Ｂを育苗し、図１に示すように栽培室３の左側から２〜４列目の栽培装置１６Ｂ、１６Ｃ、１６Ｄの上に載置して栽培し、図４に示すように赤く成長したいちご１９を数カ月にわたって順次収穫していく。なお２０は重なり防止突起１２に沿って設けられた液肥供給ホース２０である。
【００２８】
いちご１９の収穫が終了したら、４列目の栽培装置１６Ｄのローラコンベア１７、１７の上に支持されていたポットホルダー７を順次で端部側に移動させ、温室１外に搬出する。次に搬出したポットホルダー７からポット６を取外し、内部の培地５と根を捨てる。この後、ポット６を消毒し、新たな培地５を充填し、育苗圃２で同様に新しいいちごの苗１４Ｂを定植する。
【００２９】
従って本発明の温室栽培方法によれば、定植や収穫時期の異なる秋夏いちごと促成いちごを同じ温室１内で同時に定植、栽培できるので、１年を通して収穫でき、収益を大幅に向上させることができる。また同じ温室１内に育苗圃２と栽培室３が設けられているので、作業者の移動距離が短く、しかも左右のローラコンベア１７、１７で形成された栽培装置１６の上に、ポット６を支持させたポットホルダー７を移動させるだけで、従来のようにポット６を１個ずつ栽培棚に運搬して設置する必要がなく作業性を大幅に向上させることができる。
【００３０】
更に栽培装置１６は安価な細長いローラコンベア１７で形成されているので、設備費も安価である。またポットホルダー７に設けた重なり防止突起１２は、隣接するポットホルダー７の乗り上げによる重なりを防止できると共に、液肥供給ホース２０の外れ防止ガイドの役割がある。
【００３１】
またいちご１９の収穫後は、ポット６の搬出が容易であると共に、ポット６内の培地５と根を捨てるので、従来のようにポットの土の排出、根切り、土の殺菌など煩雑な作業時間を８０％も低減することができる。
【００３２】
従って本発明方法によれば、ローラコンベア１７、１７を用いた栽培装置１６を利用することにより、従来の方法に比べて煩雑な作業時間を削減して作業性を大幅に向上させることができると共に、新しい培地５を使用しても生産コストを低減させて大幅に収益を向上させることができる。
【００３３】
図６および図７は本発明の他の実施の形態を示すもので、トマトを栽培する場合の方法について説明する。育苗圃２でトマトの苗２２を、ポットホルダー７に支持させたポット６に定植し、苗２２が育ったら栽培室３に移動させ、２本のローラコンベア１７、１７が平行に配置された栽培装置１６に一列に載せる。栽培装置１６の上方には図６に示すようにワイヤ２３が可動自在に取付けられている。このワイヤ２３に紐２４の上端を結び、下端をトマトの苗２２の弦２５に結び付ける。
【００３４】
この状態で栽培していくと、次第に弦２５が伸びてくる。弦２５が伸びたら図７に示すようにワイヤ２３を矢印方向に少し移動させると、弦２５が引っ張られた状態となる。更に弦２５の生長に伴ってワイヤ２３を順次移動させていく。このように弦２５で引っ張った状態で栽培すると、弦２５が長く生長し、トマトの収量を増大させることができる。
【００３５】
なお上記説明では、角筒状のポット６を用いた場合について示したが、円筒状のポット６を用いても良い。この場合、ポットホルダー７の角孔１１は丸孔を形成したものを用いる。また上記説明では、いちごとトマトを温室栽培する場合について示したが、他の野菜や花卉など幅広い園芸作物の栽培に適用することができる。また上記説明では、同じ温室１内に育苗圃２と栽培室３を設置した場合について説明したが、別の温室１に設けても良い。
【符号の説明】
【００３６】
１    温室                                                  
２    育苗圃                                                
３    栽培室                                                
５    培地                                                  
６    ポット                                                
７    ポットホルダー                                        
８    鍔部                                                  
９    スリット                                              
１１  角孔                                                  
１２  重なり防止突起                                        
１４  いちごの苗                                            
１６  栽培装置                                              
１７  ローラコンベア                                        
１９  いちご                                                
２０  液肥供給ホース                                        
２２  トマトの苗                                            
２３  ワイヤ                                                
２４  紐                                                    
２５  弦                                                    
【図１】
2018164441.tif 000003
【図２】
2018164441.tif 000004
【図３】
2018164441.tif 000005
【図４】
2018164441.tif 000006
【図５】
2018164441.tif 000007
【図６】
2018164441.tif 000008
【図７】
2018164441.tif 000009